(57)【要約】【課題】制御回路やその他の乗りかご内機器への負荷を増加させずに換気ファンに堆積した塵埃を十分に除去でき、乗りかご内の環境衛生状態を良好に維持できるエレベータ用換気ファン塵埃除去装置を提供する。【解決手段】この装置は、エレベータ１ａ〜１ｎに設けられたファン２ａ〜２ｎが保守員１９の所持する制御端末１７ａで制御設定されると、監視センタ１４内の動作指令制御部７において、動作指令部１３が比較部１２の比較結果として、ファン２ａ〜２ｎが所定の期間を示す第１の閾値以上、且つ乗りかごの停止位置が所定階を示す第２の閾値以下であればファン２ａ〜２ｎの回転方向を逆回転で所定時間稼動させて塵埃除去を行うと共に、所定時間経過後に正回転（所定の回転方向）で稼動させ、ファン２ａ〜２ｎが第１の閾値未満である場合や、第１の閾値以上、且つ第２の閾値超過の場合には正回転で稼動させるように、制御装置３ａ〜３ｎへ動作指令する。【選択図】図１
2017149530.tif 000002
【特許請求の範囲】
【請求項１】
建物に設備されたエレベータの昇降路における各階床間を昇降する乗りかごの外方に設けられて所定の回転方向で当該昇降路側から当該乗りかごの中へ送風して換気する換気ファンと、前記建物に設置されて前記乗りかごの運転を制御すると共に、前記換気ファンによる送風の回転方向を動作指令に従って制御して稼動する制御装置と、前記換気ファンの不稼動期間後の稼動を前記制御装置へ動作指令して塵埃除去の清掃を行う動作指令制御部と、を備えたエレベータ用換気ファン塵埃除去装置において、
前記動作指令制御部は、前記換気ファンの不稼動期間を演算する不稼動期間演算部と、前記不稼動期間演算部による前記不稼動期間の演算結果と所定の期間を示す第１の閾値とを比較すると共に、前記制御装置から取得された前記乗りかごの運転情報に含まれる当該乗りかごの停止位置と所定階を示す第２の閾値とを比較する比較部と、前記比較部の比較結果として、前記演算結果が前記第１の閾値以上であるか否か、並びに前記乗りかごの停止位置が前記第２の閾値以上であるか否かに応じて前記制御装置での前記換気ファンによる前記送風の回転方向を指定して稼動させる動作指令を行う動作指令部と、を備え、
前記動作指令部は、前記比較部の比較結果として、前記換気ファンが前記第１の閾値未満である場合に、当該換気ファンを前記所定の回転方向で稼動させ、当該換気ファンが当該第１の閾値以上であって、且つ当該乗りかごの停止位置が前記第２の閾値以下である場合に、当該換気ファンを当該所定の回転方向と逆の回転方向で所定の時間稼動させて前記塵埃除去を行わせると共に、当該所定の時間が経過した後に当該所定の回転方向で稼動させ、当該換気ファンが当該第１の閾値以上であって、且つ当該乗りかごの停止位置が当該第２の閾値超過である場合に、当該換気ファンを当該所定の回転方向で稼動させるように、前記制御装置へ動作指令することを特徴とするエレベータ用換気ファン塵埃除去装置。
【請求項２】
請求項１記載のエレベータ用換気ファン塵埃除去装置において、
前記動作指令制御部は、前記制御装置と監視回線を介して接続されて遠隔地に設置される監視センタに備えられると共に、当該監視センタに備えられる通信部に接続される通信網を介してエレベータ管理者及び保守員の少なくとも一方が所持する制御端末からの制御設定を受けた場合に前記換気ファンを稼動させての前記塵埃除去を行うための動作指令を行うことを特徴とするエレベータ用換気ファン塵埃除去装置。
【請求項３】
請求項２記載のエレベータ用換気ファン塵埃除去装置において、
前記換気ファン及び前記制御装置は、複数の建物に別々に設備された複数系統のエレベータの乗りかごを対象に複数設けられており、
前記複数の制御装置にそれぞれ接続された監視装置に前記監視回線が接続されて構成されたことを特徴とするエレベータ用換気ファン塵埃除去装置。
【請求項４】
建物に設備されたエレベータの昇降路における各階床間を昇降する乗りかごの外方に設けられた換気ファンにより、所定の回転方向で当該昇降路側から当該乗りかごの中へ送風して換気する換気ステップと、
前記建物に設置されて前記乗りかごの運転を制御する制御装置により、前記換気ファンによる送風の回転方向を動作指令に従って制御して稼動する送風制御稼動ステップと、
動作指令制御部により、前記換気ファンの不稼動期間後の稼動を前記送風制御稼動ステップでの前記制御装置へ動作指令して塵埃除去を行う塵埃除去ステップと、を有するエレベータ用換気ファン塵埃除去方法において、
前記塵埃除去ステップは、前記動作指令制御部に備えられる不稼動期間演算部により、前記換気ファンの不稼動期間を演算する不稼動期間演算ステップと、前記動作指令制御部に備えられる比較部により、前記不稼動期間演算ステップでの前記不稼動期間の演算結果と所定の期間を示す第１の閾値とを比較すると共に、前記制御装置から取得された前記乗りかごの運転情報に含まれる当該乗りかごの停止位置と所定階を示す第２の閾値とを比較する比較ステップと、前記動作指令制御部に備えられる動作指令部により、前記比較ステップでの比較結果として、前記演算結果が前記第１の閾値以上であるか否か、並びに前記乗りかごの停止位置が前記第２の閾値以上であるか否かに応じて前記制御装置での前記換気ファンによる前記送風の回転方向を指定して稼動させる動作指令を行う動作指令ステップと、を有し、
前記動作指令ステップでは、前記比較ステップでの比較結果として、前記換気ファンが前記第１の閾値未満である場合に、当該換気ファンを前記所定の回転方向で稼動させ、当該換気ファンが当該第１の閾値以上であって、且つ当該乗りかごの停止位置が前記第２の閾値以下である場合に、当該換気ファンを当該所定の回転方向と逆の回転方向で所定の時間稼動させて前記塵埃除去を行わせると共に、当該所定の時間が経過した後に当該所定の回転方向で稼動させ、当該換気ファンが当該第１の閾値以上であって、且つ当該乗りかごの停止位置が当該第２の閾値超過である場合に、当該換気ファンを当該所定の回転方向で稼動させるように、前記送風制御稼動ステップでの前記制御装置へ動作指令することを特徴とするエレベータ用換気ファン塵埃除去方法。
【発明の詳細な説明】
【技術分野】
【０００１】
本発明は、エレベータの乗りかご上に設けられる換気ファンの表面に堆積した塵埃を除去するエレベータ用換気ファン塵埃除去装置及び塵埃除去方法に関する。
【背景技術】
【０００２】
従来、エレベータの乗りかご上に設けられる換気ファンは、例えば秋から冬の期間等の乗りかご内が熱気で充満される条件下にない場合、稼動を停止させることが一般的に行われている。このため、換気ファンの表面には稼動停止期間において昇降路内等に浮遊している塵埃が堆積する場合がある。このような状況を対策するため、換気ファンの稼動停止期間後の稼動開始時期では、保守員（保守点検作業員と呼ばれても良い）が換気ファンの表面に堆積した塵埃を清掃して除去した後、換気ファンを稼動開始させている。
【０００３】
このような換気ファンの清掃に係るエレベータ関連の周知技術として、ファンやエアコン等のかご内機器の制御を遠隔で行い、エレベータ設置場所での作業を不要とする「エレベータ乗りかご内機器の遠隔制御装置」（特許文献１参照）や、エレベータの換気ファンに堆積した塵埃を定期的かつ十分に除去でき、乗りかご内の環境衛生状態を向上させることができる「エレベータの換気ファンの塵埃除去装置及び塵埃除去方法」（特許文献２参照）が挙げられる。
【先行技術文献】
【特許文献】
【０００４】
【特許文献１】特開２００２−３０８５３９号公報
【特許文献２】特開２０１４−１５２８２号公報
【発明の概要】
【発明が解決しようとする課題】
【０００５】
上述した特許文献１に係る技術は、換気ファンを含む乗りかご内機器の制御を遠隔で行い、エレベータ設置場所での作業を不要としたもので、主にエレベータの保守会社の保守拠点より遠隔地に設置された遠隔制御装置によってエレベータの換気ファンを電話回線を介して遠隔操作するものである他、近年のインターネット等の通信技術の応用により、エレベータの所有者が遠隔制御装置を利用してエレベータの換気ファンを遠隔操作することが可能となっている。
【０００６】
しかしながら、特許文献１に係る遠隔制御装置では、換気ファンの遠隔操作機能を所有者に提供した場合、この換気ファンの遠隔操作機能は随時利用可能であるが、例えば所有者が長期間停止させていた換気ファンを遠隔操作して稼動を開始させた場合には制御対象の換気ファンは保守員による清掃がなされていないので、換気ファンの表面に堆積した塵埃が換気ファンの稼動時に飛散してエレベータの乗りかご内に充満し、エレベータを利用者（乗客）に不快感を与える虞がある。
【０００７】
また、特許文献２に係る技術は、特許文献１に係る技術のようにエレベータの換気ファンの動作を遠隔制御した場合、換気ファンが稼動開始した際に乗り合わせた利用者に対して表面に堆積した塵埃の飛散による不快感を与えることを防止できるもので、そのために、乗りかご内に利用者がいなければ乗りかごのかごドアを開扉させ、換気ファンを所定の回転速度よりも大きい回転速度で稼動させることで、換気ファンに堆積した塵埃を除去することができるものである。
【０００８】
しかしながら、特許文献２に係る換気ファンの塵埃除去によれば、利用者に飛散させた塵埃がかかるのを抑制できるとしても、換気ファンに堆積した塵埃が乗りかご内を通って乗りかごのかごドアから乗りかご外へ除去する狙いがあるものの、除去し切れなかった塵埃が乗りかご内に留まることになるため、乗りかご内の環境衛生上好ましくないという問題がある他、換気ファンを所定の回転速度より大きい回転速度で稼動することによる制御回路やその他の乗りかご内機器への負荷が増大してしまうという問題もある。
【０００９】
本発明は、このような問題点を解決すべくなされたもので、その技術的課題は、エレベータの制御回路やその他の乗りかご内機器への負荷を増加すること無く換気ファンに堆積した塵埃を十分に除去でき、乗りかごの中の環境衛生状態を良好に維持できるエレベータ用換気ファン塵埃除去装置及び塵埃除去方法を提供することにある。
【課題を解決するための手段】
【００１０】
上記技術的課題を解決するため、本発明のエレベータ用換気ファン塵埃除去装置は、建物に設備されたエレベータの昇降路における各階床間を昇降する乗りかごの外方に設けられて所定の回転方向で当該昇降路側から当該乗りかごの中へ送風して換気する換気ファンと、建物に設置されて乗りかごの運転を制御すると共に、換気ファンによる送風の回転方向を動作指令に従って制御して稼動する制御装置と、換気ファンの不稼動期間後の稼動を制御装置へ動作指令して塵埃除去の清掃を行う動作指令制御部と、を備えたエレベータ用換気ファン塵埃除去装置において、動作指令制御部は、換気ファンの不稼動期間を演算する不稼動期間演算部と、不稼動期間演算部による不稼動期間の演算結果と所定の期間を示す第１の閾値とを比較すると共に、制御装置から取得された乗りかごの運転情報に含まれる当該乗りかごの停止位置と所定階を示す第２の閾値とを比較する比較部と、比較部の比較結果として、演算結果が第１の閾値以上であるか否か、並びに当該乗りかごの停止位置が第２の閾値以上であるか否かに応じて制御装置での換気ファンによる送風の回転方向を指定して稼動させる動作指令を行う動作指令部と、を備え、動作指令部は、比較部の比較結果として、換気ファンが第１の閾値未満である場合に、当該換気ファンを所定の回転方向で稼動させ、当該換気ファンが当該第１の閾値以上であって、且つ当該乗りかごの停止位置が第２の閾値以下である場合に、当該換気ファンを当該所定の回転方向と逆の回転方向で所定の時間稼動させて塵埃除去を行わせると共に、当該所定の時間が経過した後に当該所定の回転方向で稼動させ、当該換気ファンが当該第１の閾値以上であって、且つ当該乗りかごの停止位置が当該第２の閾値超過である場合に、当該換気ファンを当該所定の回転方向で稼動させるように、制御装置へ動作指令することを特徴とする。
【００１１】
また、上記技術的課題を解決するため、本発明のエレベータ用換気ファン塵埃除去方法は、建物に設備されたエレベータの昇降路における各階床間を昇降する乗りかごの外方に設けられた換気ファンにより、所定の回転方向で当該昇降路側から当該乗りかごの中へ送風して換気する換気ステップと、建物に設置されて乗りかごの運転を制御する制御装置により、換気ファンによる送風の回転方向を動作指令に従って制御して稼動する送風制御稼動ステップと、動作指令制御部により、換気ファンの不稼動期間後の稼動を送風制御稼動ステップでの制御装置へ動作指令して塵埃除去を行う塵埃除去ステップと、を有するエレベータ用換気ファン塵埃除去方法において、塵埃除去ステップは、動作指令制御部に備えられる不稼動期間演算部により、換気ファンの不稼動期間を演算する不稼動期間演算ステップと、動作指令制御部に備えられる比較部により、不稼動期間演算ステップでの不稼動期間の演算結果と所定の期間を示す第１の閾値とを比較すると共に、制御装置から取得された乗りかごの運転情報に含まれる当該乗りかごの停止位置と所定階を示す第２の閾値とを比較する比較ステップと、動作指令制御部に備えられる動作指令部により、比較ステップでの比較結果として、演算結果が第１の閾値以上であるか否か、並びに乗りかごの停止位置が第２の閾値以上であるか否かに応じて制御装置での換気ファンによる送風の回転方向を指定して稼動させる動作指令を行う動作指令ステップと、を有し、動作指令ステップでは、比較ステップでの比較結果として、換気ファンが第１の閾値未満である場合に、当該換気ファンを所定の回転方向で稼動させ、当該換気ファンが当該第１の閾値以上であって、且つ当該乗りかごの停止位置が第２の閾値以下である場合に、当該換気ファンを当該所定の回転方向と逆の回転方向で所定の時間稼動させて塵埃除去を行わせると共に、当該所定の時間が経過した後に当該所定の回転方向で稼動させ、当該換気ファンが当該第１の閾値以上であって、且つ当該乗りかごの停止位置が当該第２の閾値超過である場合に、当該換気ファンを当該所定の回転方向で稼動させるように、送風制御稼動ステップでの制御装置へ動作指令することを特徴とする。
【発明の効果】
【００１２】
本発明によれば、上記構成又は処理プロセスにより、エレベータの制御回路やその他の乗りかご内機器への負荷を増加すること無く換気ファンに堆積した塵埃を十分に除去でき、乗りかごの中の環境衛生状態を良好に維持できるようになる。上記した以外の課題、構成及び効果は、以下の実施の形態の説明により明らかにされる。
【図面の簡単な説明】
【００１３】
【図１】本発明の実施例に係るエレベータ用換気ファン塵埃除去装置の基本構成を示すブロック図である。
【図２】図１に示すエレベータ用換気ファン塵埃除去装置の動作処理を示すフローチャートである。
【発明を実施するための形態】
【００１４】
以下に、本発明のエレベータ用換気ファン塵埃除去装置及び塵埃除去方法について、実施例を挙げ、図面を参照して詳細に説明する。
【実施例】
【００１５】
図１は、本発明の実施例に係るエレベータ用換気ファン塵埃除去装置の基本構成を示すブロック図である。
【００１６】
図１を参照すれば、実施例に係るエレベータ用換気ファン塵埃除去装置は、基本構成として、複数の異なる建物５ａ〜５ｎ内に設備された複数系統のエレベータ１ａ〜１ｎの昇降路における各階床間を昇降する乗りかごの外方に設けられて所定の回転方向で昇降路側から乗りかごの中へ送風して換気する換気ファン２ａ〜２ｎと、建物５ａ〜５ｎに設置されて乗りかごの運転を制御すると共に、換気ファン２ａ〜２ｎに接続されて換気ファン２ａ〜２ｎによる送風の回転方向を動作指令に従って制御して稼動するための稼動信号を送出する制御装置３ａ〜３ｎと、制御装置３ａ〜３ｎに接続されて乗りかご内機器の状態信号や遠隔での動作指令を伝送し合う監視装置４ａ〜４ｂと、公衆回線等の監視回線１５を介して監視装置４ａ〜４ｂに接続されると共に、エレベータ１ａ〜１ｎの換気ファン２ａ〜２ｎの不稼動期間後の稼動を制御装置３ａ〜３ｎへ動作指令して塵埃除去の清掃を行う動作指令制御部７を備えた遠隔地に設置される監視センタ１４と、を備えて構成されている。
【００１７】
また、動作指令制御部７は、監視センタ１４に備えられる通信部６に接続される通信網１６を介してエレベータ管理者（所有者であっても良い）１８及び保守員１９の少なくとも一方が所持する制御端末１７ａ、１７ｂからの制御設定を受けた場合に換気ファン２ａ〜２ｎを稼動させての塵埃除去の清掃を行うための動作指令を行う。これにより、エレベータ管理者１８や保守員１９は、現場のエレベータ１ａ〜１ｎが設備されている建物５ａ〜５ｎへ出向かなくても遠隔から動作指令制御部７へ制御設定を行うことで塵埃除去の清掃を動作指令することができる。
【００１８】
細部構成について説明すれば、換気ファン２ａ〜２ｎはエレベータ１ａ〜１ｎが昇降稼動する昇降路側からエレベータ１ａ〜１ｎの乗りかごの中へ送風する回転方向を通常状態で所定の回転方向としている。また、エレベータ管理者１８や保守員１９は、公衆回線やインターネット等の通信回線による通信網１６を介してパーソナルコンピュータやスマートフォン等の制御端末１７ａ、１７ｂから監視センタ１４の通信部６に対して、換気ファン２ａ〜２ｎの制御設定や、換気ファン２ａ〜２ｎが停止している間の不稼動期間に、乗りかごが昇降路の所定階よりも上の階に停止していた時間ＴＨや昇降路の所定階以下に停止していた時間ＴＬを伝送することが可能となっている。
【００１９】
換気ファン２ａ〜２ｎの制御設定を制御端末１７ａ、１７ｂから通信部６に対して伝送したとき、動作指令制御部７の不稼動期間演算部１０は、計時部８より現在日時を取得し、稼動履歴記憶部９から制御設定対象のエレベータ１ａ〜１ｎの換気ファン２ａ〜２ｎの最終稼動日時（最終稼動日時の詳細は後述する）を取得し、現在日時と最終稼動日時とにより不稼動期間を演算する。また、不稼動期間演算部１０は、換気ファン２ａ〜２ｎが停止している間に、乗りかごが昇降路の所定階よりも上の階に停止していた時間ＴＨや昇降路の所定階以下に停止していた時間ＴＬを取得し、これらを比較することによって、換気ファン２ａ〜２ｎの停止中に制御設定対象のエレベータの乗りかごが所定階より下の階に止まっていたか否かを判別する。この判別は、一般にエレベータ１ａ〜１ｎの乗りかごの何れかが例えば最下階に停止していた場合には、それに設けられる換気ファン２ａ〜２ｎの該当するものは昇降路全体から発生する塵埃を受けるのに対し、乗りかごが最上階に停止していた場合には、それに設けられる換気ファン２ａ〜２ｎの該当するものは昇降路の頂部付近からのみ発生する塵埃を受けるため、塵埃の蓄積量が異なるために必要なものである。
【００２０】
動作指令制御部７は、換気ファン２ａ〜２ｎの不稼動期間を演算する上述した不稼動期間演算部１０を備える他、不稼動期間演算部１０による不稼動期間の演算結果と閾値格納部１１からの所定の期間を示す第１の閾値とを比較すると共に、制御装置３ａ〜３ｎから取得された乗りかごの運転情報に含まれる乗りかごの停止位置と閾値格納部１１からの所定階を示す第２の閾値とを比較する比較部１２と、比較部１２の比較結果として、演算結果が第１の閾値以上であるか否か、並びに乗りかごの停止位置が第２の閾値以上であるか否かに応じて制御装置３ａ〜３ｎでの換気ファン２ａ〜２ｎによる送風の回転方向を指定して稼動させる動作指令を行う動作指令部１３と、を備える。動作指令部１３は、後文で詳述するように、比較部１２の比較結果として、換気ファン２ａ〜２ｎが第１の閾値未満である場合に、換気ファン２ａ〜２ｎの回転方向を所定の回転方向（正回転）で稼動させ、換気ファン２ａ〜２ｎが第１の閾値以上であって、且つ乗りかごの停止位置が第２の閾値以下である場合に、換気ファン２ａ〜２ｎの回転方向を所定の回転方向（正回転）と逆の回転方向（逆回転）で所定の時間稼動させて塵埃除去を行わせると共に、所定の時間が経過した後に所定の回転方向（正回転）で稼動させ、換気ファン２ａ〜２ｎが第１の閾値以上であって、且つ乗りかごの停止位置が第２の閾値超過である場合に、換気ファン２ａ〜２ｎの回転方向を所定の回転方向（正回転）で稼動させるように、制御装置３ａ〜３ｎへ動作指令する。動作指令部１３からの動作指令は、通信部６により監視回線１５及び制御対象のエレベータ１ａ〜１ｎの監視装置４ａ〜４ｎを介して制御装置３ａ〜３ｎへ伝送され、制御装置３ａ〜３ｎが換気ファン２ａ〜２ｎによる送風の回転方向を動作指令に従って制御して換気ファン２ａ〜２ｎを稼動する。
【００２１】
ところで、上述した最終稼動日時とは、制御端末１７ａ、１７ｂによる制御設定により換気ファン２ａ〜２ｎが停止した日時、或いは制御端末１７ａ、１７ｂによる制御設定が一度もなされていなかった場合にはエレベータ１ａ〜１ｎがエレベータ管理者１８に引き渡された日時又はエレベータ１ａ〜１ｎや制御装置３ａ〜３ｎに備わっている略図する切替スイッチ等で換気ファン２ａ〜２ｎを停止させた日時を示すもので、これらの日時を監視装置４ａ〜４ｎから取得し、稼動履歴記憶部９に記憶しているものとする。ここで、例えば秋冬時期等の乗りかご内での換気空調を必要としない時期において、換気ファン２ａ〜２ｎを長期間停止させた場合、換気ファン２ａ〜２ｎの羽根上に昇降路内を浮遊している塵埃が堆積する場合がある。このような塵埃は、エレベータ管理者１８が保守員１９に換気ファン２ａ〜２ｎの清掃及び稼動を依頼した場合には、保守員１９が羽根の清掃を実施してから換気ファン２ａ〜２ｎを稼動させるために問題は生じない。
【００２２】
しかしながら、エレベータ管理者１８や保守員１９が制御端末１７ａ、１７ｂによる制御設定により換気ファン２ａ〜２ｎを稼動させた場合には、換気ファン２ａ〜２ｎの羽根の清掃が実施されていないため、羽根に堆積した塵埃が剥落して昇降路内から送風された空気と共にエレベータ１ａ〜１ｎの乗りかごの中へ飛散し、乗りかごの利用者（乗客）に不快感を抱かせるか、或いは乗りかごの中の環境衛生を悪くしてしまう可能性がある。
【００２３】
そこで、実施例に係るエレベータ用換気ファン塵埃除去装置では、エレベータ管理者１８や保守員１９が制御端末１７ａ〜１７ｂによる制御設定により換気ファン２ａ〜２ｎを稼動させる場合には、動作指令制御部７によって換気ファン２ａ〜２ｎが停止していた期間（不稼動期間）や、換気ファン２ａ〜２ｎが停止していた間の乗りかごの停止位置に基づいて塵埃の堆積有無を判定した結果に応じて、塵埃をエレベータ１ａ〜１ｎの乗りかごの中を通さずに除去する制御を実施するための動作指令を行う。
【００２４】
図２は、実施例に係るエレベータ用換気ファン塵埃除去装置の動作処理を示すフローチャートである。
【００２５】
図２を参照すれば、エレベータ用換気ファン塵埃除去装置の動作処理では、まずエレベータ管理者１８或いは保守員１９が制御端末１７ａ、１７ｂでエレベータ１ａ〜１ｎの換気ファン２ａ〜２ｎの稼動を制御設定（ステップＳ１０１）すると、その制御設定の内容が通信網１６を介し、監視センタ１４の通信部６へデータ伝送（ステップＳ１０２）される。
【００２６】
監視センタ１４では、通信部６に制御設定内容が伝送されると、動作指令制御部７において以下の各処理（ステップＳ１０３〜Ｓ１１２）を実施する。具体的に云えば、動作指令制御部７では、不稼動期間演算部１０が計時部８より現在日時を取得（ステップＳ１０３）した後、稼動履歴記憶部９より最終稼動日時を取得（ステップＳ１０４）し、現在日時と最終稼動日時より換気ファン２ａ〜２ｎの不稼動期間を算出（ステップＳ１０５）する。次に、動作指令制御部７では、比較部１２が閾値格納部１１に格納された換気ファン２ａ〜２ｎの羽根に塵埃が堆積するであろうと予測される所定の期間を示す閾値（第１の閾値）と換気ファン２ａ〜２ｎの不稼動期間を比較（ステップＳ１０６）し、動作指令部１３が比較結果を受けて不稼動期間が閾値（第１の閾値）以上であるか否かの判定（ステップＳ１０７）を行う。
【００２７】
この判定（ステップＳ１０７）の結果、不稼動期間が閾値以上の長い期間であれば、動作指令部１３は、比較部１２及び不稼動期間演算部１０を通して稼動履歴記憶部９より乗りかご停止位置（乗りかごが昇降路の所定階よりも上階に停止していた時間ＴＨや昇降路の所定階以下に停止していた時間ＴＬ）を取得（ステップＳ１０８）した後、比較部１２で時間ＴＨと時間ＴＬとを比較した結果を受け、換気ファン２ａ〜２ｎの動作停止中に制御設定対象のエレベータ１ａ〜１ｎの乗りかごが所定階より下に止まっていたか否かを所定階以下であるか否かの判定（ステップＳ１０９）で判別する。この判定（ステップＳ１０９）は、比較部１２を通して閾値格納部１１から取得した所定階を示す閾値（第２の閾値）以下であるか否かに基づいて行われるもので、閾値（第２の閾値）以下であって、換気ファン２ａ〜２ｎの停止中に制御設定対象のエレベータ１ａ〜１ｎの乗りかごが所定階以下で止まっていれば、換気ファン２ａ〜２ｎに塵埃が多く堆積しているとみなし、動作指令部１３が換気ファン２ａ〜２ｎを所定の時間、昇降路からエレベータ１ａ〜１ｎの乗りかご内へ送風する所定の回転方向（正回転）とは逆方向（逆回転）に稼動し、その後に所定の回転方向（正回転）で回転稼動する様、動作指令（ステップＳ１１０）を通信部６へ伝送する。
【００２８】
また、上述した動作指令部１３が比較結果を受けて不稼動期間が閾値（第１の閾値）以上であるか否かの判定（ステップＳ１０７）の結果、閾値（第１の閾値）未満で短い期間であれば、換気ファン２ａ〜２ｎには塵埃が飛散する程度には堆積していないとみなし、直ちに換気ファン２ａ〜２ｎを所定の回転方向（正回転）に稼動する様、動作指令（ステップＳ１１１）を通信部６へ伝送する。更に、上記判定（ステップＳ１０９）の結果、閾値（第２の閾値）を超過しており、換気ファン２ａ〜２ｎの停止中に制御設定対象のエレベータ１ａ〜１ｎの乗りかごが所定階よりも上の階で止まっている場合にも、同様に換気ファン２ａ〜２ｎには塵埃が飛散する程度には堆積していないとみなし、直ちに所定の回転方向（正回転）に回転稼動する様、動作指令（ステップＳ１１１）を通信部６へ伝送する。
【００２９】
更に、通信部６は、監視回線１５を介し、接続された制御対象であるエレベータ１ａ〜１ｎの監視装置４ａ〜４ｎへ動作指令部１３より受けた動作指令（ステップＳ１１０又はＳ１１１）を伝送（ステップＳ１１２）する。監視装置４ａ〜４ｎは、通信部６より動作指令（ステップＳ１１０又はＳ１１１）を受けると、監視装置４ａ〜４ｎからそれらに接続された制御装置３ａ〜３ｎへ動作指令（ステップＳ１１０又はＳ１１１）を伝送（ステップＳ１１３）し、制御装置３ａ〜３ｎが動作指令（ステップＳ１１０又はＳ１１１）に従い、換気ファン２ａ〜２ｎを回転稼動（ステップＳ１１４）させる。
【００３０】
実施例に係るエレベータ用換気ファン塵埃除去装置では、以上に説明した構成、及び動作処理の手順を実施することにより、長い停止期間で換気ファン２ａ〜２ｎに塵埃が堆積していたとしても、換気ファン２ａ〜２ｎを所定の回転方向（正回転）に回転稼動させる前に、逆方向に回転稼動（逆回転稼動）させることでエレベータ１ａ〜１ｎの乗りかごの中ではなく昇降路側の外方へ送風し、エレベータ１ａ〜１ｎの乗りかごの中を通さず塵埃を除去することが可能となり、エレベータ１ａ〜１ｎの乗りかごの中の環境衛生状態を良好に維持させることができる。また、換気ファン２ａ〜２ｎの不稼動期間を示す停止期間（停止時間）が短かったり、あるいは乗りかごの停止位置が所定階よりも上階に停止しており、塵埃除去の必要が無い場合においては、直ちに所定の回転方向（正回転）に換気ファン２ａ〜２ｎを回転駆動させることも可能となる。この結果、エレベータ１ａ〜１ｎの制御回路やその他の乗りかご内機器への負荷を増加すること無く換気ファン２ａ〜２ｎに堆積した塵埃を乗りかごの中を通すことなく十分に除去でき、乗りかごの中の環境衛生状態を良好に維持させることができるようになる。また、エレベータ管理者１８や保守員１９が現場のエレベータ１ａ〜１ｎが設備されている建物５ａ〜５ｎへ出向かなくても遠隔地から動作指令制御部７へ制御設定を行うことで動作指令制御部７が通信部６を介して監視回線１５を介して各場所の建物５ａ〜５ｎに設備されたエレベータ１ａ〜１ｎを対象として塵埃除去の清掃を行うための動作指令を行うため、エレベータ１ａ〜１ｎが広域でまちまちな建物５ａ〜５ｎに設備されているような場合にも容易に塵埃除去の清掃を実施することが可能となり、結果として保守管理上でのコスト低減にも寄与し得る。
【００３１】
尚、図１及び図２を参照して説明した実施例に係るエレベータ用換気ファン塵埃除去装置は、必ずしも開示した全ての機能構成を備える形態に限定されない。即ち、或る構成部分を他の構成に置き換えたり、或る構成部分に他の構成を加えることも可能である。例えば、図１中では換気ファン２ａ〜２ｎの動作指令を送出する動作指令制御部７を監視センタ１４内に設けた構成を説明したが、制御対象のエレベータ１ａ〜１ｎの監視装置４ａ〜４ｎのそれぞれに同様な処理機能の動作指令制御部７を組み込んだり、或いは制御装置３ａ〜３ｎに同様な処理機能の動作指令制御部７を組み込むことも可能である。但し、こうした場合には機器点数が増大することになるため、コスト面を考慮して実施することが好ましい。また、図１に示す構成では、監視センタ１４内の動作指令制御部７からの動作指令を監視センタ１４内の通信部６を経由して監視回線１５を介してエレベータ１ａ〜１ｎへ通信する構成を説明したが、エレベータ１ａ〜１ｎに対して遠隔から動作指令を伝送できれば、例えば無線通信方式を適用する等、如何なる通信手段を用いても良いし、遠隔から動作指令できる機能を有する装置であれば、その装置の設置場所や装置構成は如何なる形態であっても良い。更に、図１に示す構成では、建物５ａ〜５ｎ及びエレベータ１ａ〜１ｎが実質上、ｎ＝３以上の場合に該当しているが、ｎは自然数を示すものであるため、１系統や２系統であっても良いものである。従って、本発明のエレベータ用換気ファン塵埃除去装置は、図１及び図２を参照して説明した実施例に係る形態に限定されない。
【００３２】
因みに、本発明のエレベータ用換気ファン塵埃除去装置に係る塵埃除去処理は、建物に設備されたエレベータ１ａ〜１ｎの昇降路における各階床間を昇降する乗りかごの外方に設けられた換気ファン２ａ〜２ｎにより、所定の回転方向で昇降路側から乗りかごの中へ送風して換気する換気ステップと、建物に設置されて乗りかごの運転を制御する制御装置３ａ〜３ｎにより、換気ファン２ａ〜２ｎによる送風の回転方向を動作指令に従って制御して稼動する送風制御稼動ステップと、動作指令制御部７により、換気ファン２ａ〜２ｎの不稼動期間後の稼動を送風制御稼動ステップでの制御装置３ａ〜３ｎへ動作指令して塵埃除去を行う塵埃除去ステップと、を有するエレベータ用換気ファン塵埃除去方法として換言することができる。
【００３３】
このエレベータ用換気ファン塵埃除去方法の技術的特徴を云えば、塵埃除去ステップは、動作指令制御部７に備えられる不稼動期間演算部１０により、換気ファン２ａ〜２ｎの不稼動期間を演算する不稼動期間演算ステップと、動作指令制御部７に備えられる比較部１２により、不稼動期間演算ステップでの不稼動期間の演算結果と所定の期間を示す第１の閾値とを比較すると共に、制御装置３ａ〜３ｎから取得された乗りかごの運転情報に含まれる乗りかごの停止位置と所定階を示す第２の閾値とを比較する比較ステップと、動作指令制御部７に備えられる動作指令部１３により、比較ステップでの比較結果として、演算結果が第１の閾値以上であるか否か、並びに乗りかごの停止位置が第２の閾値以上であるか否かに応じて制御装置３ａ〜３ｎでの換気ファン２ａ〜２ｎによる送風の回転方向を指定して稼動させる動作指令を行う動作指令ステップと、を有するものであって、動作指令ステップでは、比較ステップでの比較結果として、換気ファン２ａ〜２ｎが第１の閾値未満である場合に、換気ファン２ａ〜２ｎを所定の回転方向（正回転）で稼動させ、換気ファン２ａ〜２ｎが第１の閾値以上であって、且つ乗りかごの停止位置が第２の閾値以下である場合に、換気ファン２ａ〜２ｎを所定の回転方向（正回転）と逆の回転方向（逆回転）で所定の時間稼動させて塵埃除去を行わせると共に、所定の時間が経過した後に所定の回転方向（正回転）で稼動させ、換気ファン２ａ〜２ｎが第１の閾値以上であって、且つ乗りかごの停止位置が第２の閾値超過である場合に、換気ファン２ａ〜２ｎを所定の回転方向（正回転）で稼動させるように、送風制御稼動ステップでの制御装置３ａ〜３ｎへ動作指令するものである。
【符号の説明】
【００３４】
１ａ〜１ｎ  エレベータ
２ａ〜２ｎ  換気ファン
３ａ〜３ｎ  制御装置
４ａ〜４ｎ  監視装置
５ａ〜５ｎ  建物
６  通信部
７  動作指令制御部
８  計時部
９  稼動履歴記憶部
１０  不稼動期間演算部
１１  閾値格納部
１２  比較部
１３  動作指令部
１４  監視センタ
１５  監視回線
１６  通信網
１７ａ、１７ｂ  制御端末
１８  エレベータ管理者
１９  保守員
【図１】
2017149530.tif 000003
【図２】
2017149530.tif 000004